(57)【要約】【課題】低廉で簡単な制御系により省エネルギ運転を行うことができる除塵機の運転方法を提供すること。【解決手段】バースクリーン１の水圧荷重を測定する荷重計３を設け、荷重計３の測定値が所定値より大きい場合に除塵機を通常運転より高速で運転し、荷重計３の測定値が所定値より小さい場合に除塵機を通常運転より低速で運転する。【選択図】図１
2007100362.tif 000002
【特許請求の範囲】
【請求項１】
櫛歯状のレーキをスクリーンに沿って移動させ、スクリーンのごみを掻き揚げるようにした除塵機の運転方法において、スクリーンの水圧荷重を測定する荷重計を設け、該荷重計の測定値が所定値より大きい場合に除塵機を高速で運転し、荷重計の測定値が前記所定値より小さい場合に除塵機を低速で運転することを特徴とする除塵機の運転方法。
【発明の詳細な説明】
【技術分野】
【０００１】
本発明は、河川排水機場等で使用される除塵機の運転方法に関し、特に、低廉で簡単な制御系により省エネルギ運転を行うことができる除塵機の運転方法に関するものである。
【背景技術】
【０００２】
河川排水機場では、例えば、チェーン式除塵機が多く使用されている。
このチェーン式除塵機は、水中に含有する固形物を予め除去するため、水路の水流を遮るようにバースクリーンを設置し、このスクリーンに捕捉されたし渣を掻き揚げて排出するためスクリーンに沿って移動するレーキを設けている。
レーキは並設された１対のエンドレスチェーンに架設され、櫛歯状のレーキ歯がバースクリーンと噛合して移動することにより、スクリーンの目のごみを掻き揚げるようにしている。
【０００３】
ところで、除塵機を効率良く運転する方法として、従来はスクリーン前後の水位差を検出し、水位差が大きい場合は除塵機を高速で運転する一方、水位差が少ない場合は除塵機を低速で運転する方法があった。
しかしながら、上記従来の除塵機の運転方法では、上流と下流の２箇所に水位検出器が必要となり、また、制御機構にも水位差演算器等の機器が必要となる。
このため、除塵機の制御系が複雑となり、高価なものとなるという問題があった。
【発明の開示】
【発明が解決しようとする課題】
【０００４】
本発明は、上記従来の除塵機の運転方法が有する問題点に鑑み、低廉で簡単な制御系により省エネルギ運転を行うことができる除塵機の運転方法を提供することを目的とする。
【課題を解決するための手段】
【０００５】
上記目的を達成するため、本発明の除塵機の運転方法は、櫛歯状のレーキをスクリーンに沿って移動させ、スクリーンのごみを掻き揚げるようにした除塵機の運転方法において、スクリーンの水圧荷重を測定する荷重計を設け、該荷重計の測定値が所定値より大きい場合に除塵機を高速で運転し、荷重計の測定値が前記所定値より小さい場合に除塵機を低速で運転することを特徴とする。
【発明の効果】
【０００６】
本発明の除塵機の運転方法によれば、櫛歯状のレーキをスクリーンに沿って移動させ、スクリーンのごみを掻き揚げるようにした除塵機の運転方法において、スクリーンの水圧荷重を測定する荷重計を設け、該荷重計の測定値が所定値より大きい場合に除塵機を高速で運転し、荷重計の測定値が前記所定値より小さい場合に除塵機を低速で運転することから、水圧荷重が大きい場合にスクリーンの夾雑物が多いと判断して除塵機を高速で運転し、水圧荷重が小さい場合に夾雑物が少ないと判断して除塵機を低速で運転することができ、低廉で簡単な制御系により省エネルギ運転を行うことができる。
【発明を実施するための最良の形態】
【０００７】
以下、本発明の除塵機の運転方法の実施の形態を、図面に基づいて説明する。
【実施例１】
【０００８】
図１〜図２に、本発明の除塵機の運転方法を適用する除塵機の一例を示す。
この除塵機は、水路の水流を遮るようにバースクリーン１を設置するとともに、櫛歯状のレーキ２をバースクリーン１に沿って移動させ、このスクリーン１のごみを掻き揚げるようにしている。
そして、除塵機は、バースクリーン１の水圧荷重を測定する荷重計３を設け、該荷重計３の測定値が所定値より大きい場合に除塵機を通常運転より高速で運転し、荷重計３の測定値が前記所定値より小さい場合に除塵機を通常運転より低速で運転するようにしている。
【０００９】
バースクリーン１は、流下するごみを捕捉するもので、図示省略するが、複数のスクリーンバー１１を等間隔で並列するとともに、長尺のボルト、ナット及びスペーサにより一定の目巾で固定し、スクリーンバー１１で流水中のごみを捕捉するとともに、スクリーンバー１１の間を流水が通過するようにしている。
【００１０】
除塵機は、並設した１対のエンドレスチェーン４の間にレーキ２を架設した構造を有し、櫛歯状のレーキ歯２１がバースクリーン１と噛合して移動することにより、スクリーン１の目のごみを掻き揚げるようになっている。
前記チェーン４は、円環状に架設されたガイドレール５に沿って走行し、レーキ２は、この１対のチェーン４の間に差し渡されたレーキ本体２２に複数に分割された状態でねじ固定されている。
【００１１】
荷重計３は、例えば、バースクリーン１と該バースクリーン１の上部を支持する構造物の間に配設されている。荷重計３の測定値は演算装置６に出力され、ＶＶＶＦ（Variable Voltage Variable Frequency（可変電圧可変周波数制御））インバータ回路から除塵機運転出力７として除塵機に出力される。
本実施例では、この荷重計３によりバースクリーン１の水圧荷重を測定し、この荷重が所定値より大きい場合に、スクリーン１の上流側と下流側に水位差が生じている、即ちスクリーン１が夾雑物により閉塞していると判断し、除塵機を通常運転より高速で運転する。
また、この水圧荷重が所定値より小さい場合は、スクリーン１の上流側と下流側の水位差が少ない、即ちスクリーン１が夾雑物で閉塞していないと判断し、除塵機を通常運転より低速で運転する。
なお、水圧荷重の測定値を比較する所定値としては、ごみや夾雑物が全くない状態のスクリーン１の水圧荷重を基準値として採用することができる。
【００１２】
かくして、本実施例の除塵機の運転方法は、櫛歯状のレーキ２をスクリーン１に沿って移動させ、スクリーン１のごみを掻き揚げるようにした除塵機において、スクリーン１の水圧荷重を測定する荷重計３を設け、該荷重計３の測定値が所定値より大きい場合に除塵機を高速で運転し、荷重計３の測定値が前記所定値より小さい場合に除塵機を低速で運転することから、水圧荷重が大きい場合にスクリーン１の夾雑物が多いと判断して除塵機を高速で運転し、水圧荷重が小さい場合に夾雑物が少ないと判断して除塵機を低速で運転することができ、低廉で簡単な制御系により省エネルギ運転を行うことができる。
【００１３】
以上、本発明の除塵機の運転方法について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００１４】
本発明の除塵機の運転方法は、スクリーンの水圧荷重に基づいて除塵機の運転速度を変更することにより、低廉で簡単な制御系により省エネルギ運転を行うという特性を有していることから、例えば、チェーン式除塵機など、汎用の除塵機に広く好適に用いることができる。
【図面の簡単な説明】
【００１５】
【図１】本発明の除塵機の運転方法を適用する除塵機の一例を示す概要図である。
【図２】同除塵機を示し、（ａ）は除塵機の上部を示す側面図、（ｂ）は除塵機とバースクリーンを示す側面図である。
【符号の説明】
【００１６】
１    スクリーン
２    レーキ
３    荷重計
４    チェーン
５    ガイドレール
６    演算装置
７    除塵機運転出力
【図１】
2007100362.tif 000003
【図２】
2007100362.tif 000004